(57)【要約】【課題】その背面を壁に寄せて配置する場合でも、背面と壁との間に無駄な隙間を生まず、設置スペースを有効利用することができる表示装置の提供を目的とする。【解決手段】表示装置１００は、映像を表示する薄型のディスプレイ９０の下方に配置されて、該ディスプレイを支持する脚部８０を有する。脚部０は、ディスプレイ９０の下面にて該ディスプレイを支持する脚部本体７０と、脚部本体７０の下部からディスプレイ９０の表示面に対して前方に延設してディスプレイ９０を支持する前部支持台座６０と、脚部本体７０の下部からディスプレイ９０の背面に対して前方に延設してディスプレイ９０を支持する後部支持台座５０とから成り、後部支持台座５０は、脚部本体７０から延設した量を変化できるよう脚部本体７０と接続されている。【選択図】図４
2009015233.tif 000002
【特許請求の範囲】
【請求項１】
映像を表示するための薄型のディスプレイの下方に配置されて、前記ディスプレイを支持する脚部を有する表示装置において、
前記脚部は、
前記ディスプレイの下面にて該ディスプレイを支持する脚部本体と、
前記脚部本体の下部から前記ディスプレイの表示面に対して前方に延設して前記ディスプレイを支持する前部支持台座と、
前記脚部本体の下部から前記ディスプレイの背面に対して前方に延設して前記ディスプレイを支持する後部支持台座とから成り、
前記後部支持台座は、前記脚部本体の背面側から延設した量を変化できるよう該脚部本体に保持されていることを特徴とする表示装置。
【請求項２】
前記後部支持台座は、前記脚部本体から取外し可能に該脚部本体に保持されていることを特徴とする請求項１に記載の表示装置。
【請求項３】
前記脚部本体は、板金にて形成された構造部と、前記構造部を覆うよう保持される化粧外装とから成る構成であって、
前記後部支持台座は、該後部支持台座の後方から延設したスライド軸を有し、
前記構造部は、前記スライド軸を本表示装置の厚み方向にスライド可能に保持するスライド保持部を有し、
前記スライド軸を前記スライド保持部に抜き差しして、前記後部支持台座を取り外し可能に保持したことを特徴とする請求項２に記載の表示装置。
【請求項４】
前記後部支持台座は、前記脚部本体の背面に対して略垂直に延設した部位を、該脚部本体の背面に対して略水平に配置されるよう前記脚部本体と回転可能に保持したことを特徴とする請求項１に記載の表示装置。
【請求項５】
前記後部支持台座は、前記ディスプレイの背面に対して前方に突出しないよう、前記脚部本体に収容可能に保持されることを特徴とする請求項１に記載の表示装置。
【請求項６】
前記脚部本体は、板金にて形成された構造部と、前記構造部を覆うよう前記構造部にねじ止めされる化粧外装とから成る構成であって、
前記後部支持台座は、該後部支持台座の後方から延設したスライド軸と、前記スライド軸の側部より外側に突出した突出片とを有し、
前記構造部は、前記スライド軸を該脚部本体の厚み方向にスライド可能に保持する保持部材を有し、
前記保持部材は、前記スライド軸がこの保持部材に沿ってスライドする方向に伸びたスリットを有し、
前記後部支持台座は、前記突出片を前記スリットに貫通させつつ前記スライド軸を前記保持部材に保持させた状態で、前記スライド軸を前記保持部材に沿って前記脚部本体の背面側から引き出し、且つ、前記スリットを貫通した突出片を回転軸として、前記後部支持台座の前記脚部本体の背面から延設した先端を、前記脚部本体の背面に対して略水平方向上方なるよう回転させて前記脚部本体の背面に配置可能に前記脚部本体に固定したことを特徴とする請求項１に記載の表示装置。
【発明の詳細な説明】
【技術分野】
【０００１】
本発明は、自立するための脚部を備えた表示装置に関し、特に、背面を壁に寄せて配置することができる表示装置に関するものである。
【背景技術】
【０００２】
現在、ＬＣＤ（Liquid Crystal Display）やＰＤＰ（Plasma Display Panel）によりディスプレイを構成することで、厚みを薄くした表示装置が広く普及している。また、このような表示装置では、ディスプレイの表示面を設置面に対して所定方向に向けて自立できるよう脚部を備えている。図９に示すように、脚部３は表示装置１が自立できるようその先端がディスプレイ２に対して前後方向に延設した形状である。これにより、設置面Ｇからディスプレイ２の上面までの高さが高く重心が高い場合でも、表示装置１を自立させることができる。
【０００３】
上記した表示装置１では、脚部３後方がディスプレイ２の背面に対して突出しており、表示装置１を壁Ｗに寄せて配置した場合、表示装置１の背面と壁Ｗとの間に隙間が生じてしまう。このため、図９に示すように、脚部３後方の長さ分だけ表示装置１を壁Ｗに寄せることができず、無駄な空間を形成していた。
【０００４】
これに対して、回転軸を用いて画面の表示方向に回転可能に装置本体と保持された表示部を備えた映像記録媒体再生装置であって、壁に掛けることができるよう装置本体に係止穴が形成された技術が開示されている（例えば、特許文献１参照。）。
このような技術では、表示面が装置本体に対して略水平になるよう回転させて、壁に掛けることで、壁と装置背面との隙間を無くすことができる。
【０００５】
また、壁に掛ける際、自立用の脚部を取り外した後、壁掛け用部材を用いて壁に固定する技術が開示されている（例えば、特許文献２参照。）。
このような技術では壁に掛ける際、専用の取り付け装置を用いて表示装置を壁に取り付けるため、壁と装置背面との隙間を小さくすることができる。
【特許文献１】特開２００１−２５６７６８号公報
【特許文献２】特開２００２−２６８５７８号公報
【発明の開示】
【発明が解決しようとする課題】
【０００６】
上述した特許文献１の技術は、次のような課題があった。つまり、表示部と装置本体とは回転軸を用いて回転可能に保持されており、脚部を用いて自立する表示装置とは、その形状が異なる。また、このような表示装置は、画面サイズが小型の物が主流であり画面サイズが大型の物には不向きである。そのため、脚部を備えた表示装置や比較的大型の表示装置には特許文献１の技術を用いることはできない。
【０００７】
また、特許文献２の技術は、次のような課題があった。つまり、表示装置の背面を壁に寄せて配置する際、いちいち壁掛け用部材を用いて配置を行なう必要があった。しかも、壁に寄せて配置した場合、壁掛け用部材は壁に固定されているため、一度固定した表示装置を再度動かすことができない。そのため、表示装置を壁掛け用部材に取り付ける動作がユーザにとって煩雑である。
【０００８】
本発明は、上記課題にかんがみてなされたもので、その背面を壁に寄せて配置する場合でも、背面と壁との間に無駄な隙間を生まず、設置スペースを有効利用することができる表示装置の提供を目的とする。
【課題を解決するための手段】
【０００９】
上記課題を解決するために、本発明では、映像を表示するための薄型のディスプレイの下方に配置されて、前記ディスプレイを支持する脚部を有する表示装置において、前記脚部は、前記ディスプレイの下面にて該ディスプレイを支持する脚部本体と、前記脚部本体の下部から前記ディスプレイの表示面に対して前方に延設して前記ディスプレイを支持する前部支持台座と、前記脚部本体の下部から前記ディスプレイの背面に対して前方に延設して前記ディスプレイを支持する後部支持台座とから成り、前記後部支持台座は、前記脚部本体の背面側から延設した量を変化できるよう該脚部本体に保持されている構成としてある。
【００１０】
上記のように構成した発明では、薄型のディスプレイの下方に配置されて、このディスプレイを支持する脚部を有する表示装置に関するものである。本発明に係る表示装置では、脚部はディスプレイと接続される脚部本体と、脚部本体の下部よりディスプレイの表示面に対して前方に延設した前部支持台座と、脚部本体の下部より前記ディスプレイの背面に対して前方に延設した後部支持台座とから成る。このような表示装置において、後部支持台座は、前記脚部本体の背面側から延設した量を変化できるよう脚部本体に保持されている。
そのため、表示装置をその背面を壁に寄せて配置する場合、後部支持台座の脚部本体の背面からの延設量を少なくすることで、表示装置の背面を壁に寄せることができる。このため、壁と背面とに形成された隙間が抹消され、スペースを有効利用することができる。  ここで、脚部はディスプレイを保持するものであればよく、ディスプレイと別体で構成されていてもよいし、一体で構成されていてもよい。
【００１１】
また、後部支持台座の脚部本体から延設した量を変化させる手法としては色々な手法が存在する。その一例としては、本実施の形態では、前記後部支持台座は、前記脚部本体から取外し可能に該脚部本体に保持されている構成としてある。
上記のように構成された発明では、後部支持台座を脚部本体から取り外すことにより、脚部本体からの延設した量を変化させる。これにより、脚部本体と後部支持台座とは取外し可能に取り付けられるだけの簡易な構成で本発明を実現することができる。
【００１２】
そして、後部支持台座と脚部本体とを取外し可能に取り付ける具体的な構成として、本発明では、前記脚部本体は、板金にて形成された構造部と、前記構造部を覆うよう保持される化粧外装とから成る構成であって、前記後部支持台座は、該後部支持台座の後方から延設したスライド軸を有し、前記構造部は前記スライド軸を本表示装置の厚み方向にスライド可能に保持するスライド保持部を有し、前記スライド軸を前記スライド保持部に抜き差しして、前記後部支持台座を取り外し可能に保持された構成としてある。
つまり、後部支持台座を脚部本体のスライド保持部に抜き差しして、後部支持台座を取り外すことができるため、取外し操作を楽に行なうことができる。
【００１３】
さらに、他の構成として、前記後部支持台座は、前記脚部本体の背面に対して略垂直に延設した部位を、該脚部本体の背面に対して略水平に配置されるよう前記脚部本体と回転可能に保持された構成としてある。
これにより、後部支持台座の脚部本体の背面から延設する向きを回転させて変えることで、その背面からの延設量を少なくすることができる。
【００１４】
また、本発明を実現するその他の構成として、前記後部支持台座は、前記ディスプレイの背面に対して前方に突出しないよう、前記脚部本体に収容可能に保持される構成としてある。
つまり、後部支持台座を脚部本体に収容することで、延設量を少なくすることができる。また、後部支持台座を取り外すことなく、脚部本体に収容しておけるため、後部支持台座を紛失してしまうことがない。
【００１５】
そして、本発明の具体的な構成として、前記脚部本体は、板金にて形成された構造部と、前記構造部を覆うよう前記構造部にねじ止めされる化粧外装とから成る構成であって、前記後部支持台座は、該後部支持台座の後方から延設したスライド軸と、前記スライド軸の側部より外側に突出した突出片とを有し、前記構造部は、前記スライド軸を該脚部本体の厚み方向にスライド可能に保持する保持部材を有し、前記保持部材は、前記スライド軸がこの保持部材に沿ってスライドする方向に伸びたスリットを有し、前記後部支持台座は、前記突出片を前記スリットに貫通させつつ前記スライド軸を前記保持部材に保持させた状態で、前記スライド軸を前記保持部材に沿って前記脚部本体の背面側から引き出し、且つ、前記スリットを貫通した突出片を回転軸として、前記後部支持台座の前記脚部本体の背面から延設した先端を、前記脚部本体の背面に対して略水平方向上方なるよう回転させて前記脚部本体の背面に配置可能に前記脚部本体に保持された構成としてもよい。
【発明の効果】
【００１６】
以上説明したように本発明によれば、その背面を壁に寄せて配置する場合でも、背面と壁との間に無駄な隙間を生まず、設置スペースを有効利用することができる。
また請求項２にかかる発明によれば、簡易な構成で本発明を実現することができる。
そして請求項３及び請求項４にかかる発明によれば、操作を楽にすることができる。
さらに請求項５にかかる発明によれば、後部支持台座を紛失してしまうことがない。
また、請求項６のような、より具体的な構成において、上述した請求項１〜請求項５の各発明と同様の作用を奏することはいうまでもない。
【発明を実施するための最良の形態】
【００１７】
以下、下記の順序に従って本発明の実施形態を説明する。
１．第一の実施の形態
１．１．表示装置の構成
１．２．表示装置の作用・効果
２．第二の実施の形態
３．第三の実施の形態
４．まとめ
【００１８】
１．第一の実施の形態 
本発明は、厚みの薄いディスプレイと、このディスプレイの下方に配置されて該ディスプレイを支持する脚部とを有する表示装置において、この表示装置を壁に寄せて配置する際、脚部背面から延設した部位の長さを短くすることで、表示装置の背面と壁との間に形成される無駄な隙間を抹消するためのものである。
【００１９】
図１に示すように、本発明に係る表示装置１００は、画面を表示するためのディスプレイ９０と、ディスプレイ９０を支持するための脚部８０とから構成される。脚部８０は、ディスプレイ９０の下面で接続してディスプレイ９０を支持する脚部本体７０と、脚部本体７０の下部よりディスプレイの表示面に対して前方に延設してディスプレイ９０を支持する前部支持台座６０と、脚部本体７０の下部よりディスプレイ９０の背面に対して前方に延設してディスプレイ９０を支持する後部支持台座５０とから構成されている。なお、この実施の形態では、後部支持台座５０は、脚部本体７０から取外し可能に保持され、表示装置の背面を壁に寄せて配置する際、後部支持台座５０を脚部本体７０から取り外すことで、表示装置１００の背面側の突出量を少なくしている。
【００２０】
ディスプレイ９０は、厚みの薄い矩形形状であって、取得したビデオ信号に基づいて表示画面に映像を表示する。表示装置１００がテレビジョン受信機である場合は、ディスプレイ９０は、図示しないアンテナが受信したテレビジョン放送信号や、外部入力端子から入力された信号を基に映像及び音声を出力する。ディスプレイ９０は、外観を構成する樹脂製のキャビネット９０ａに、取得した信号を基に映像及び音声を出力する表示モジュール（図示しない）を収容することで構成されている。
【００２１】
脚部８０は、ディスプレイ９０の表示画面を設置面Ｇに対して所定方向に向くよう支持するものである。脚部８０は、キャビネット９０ａ下面でディスプレイ９０と接続し、表示画面が設置面Ｇに対して略垂直に向くようディスプレイ９０を支持する。ここで、表示面が設置面Ｇと略垂直に向くとは、比較的大型のテレビジョン受信機を想定してのことであり、比較的小型の表示装置などでは、設置面Ｇに対する表示画面の向きは任意である。  
【００２２】
脚部８０は、脚部本体７０と、脚部本体７０の下部よりディスプレイ９０の表示面に対して前方に延設した前部支持台座６０と、脚部本体７０の下部よりディスプレイ９０の背面に対して前方に延設した後部支持台座５０とから構成されている。図１及び図２に示すように、脚部８０には、脚部本体７０の厚み方向の前後に貫通した開口である収容空間８１を備えており、この収容空間８１に録画再生装置や、各種機器を収容することができる。
【００２３】
図３は、脚部８０を側面から見た内部側面図であり、図２におけるＡ−Ａ’間の断面である。なお、図２と異なり、図３では後部支持台座５０を脚部本体７０に固定した状態としている。脚部８０は、板金を用いて形成された構造部４０と、構造部４０を覆う化粧外装３０とで構成されている。化粧外装３０は例えば樹脂にて構成され、構造部４０を覆うよう構造部４０にねじ止めされることで構造部４０を外部から隠蔽する。また、構造部がディスプレイ９０の荷重を受けることで、ディスプレイ９０を支持することができる。
【００２４】
構造部４０は略矩形形状の座板４１と、座板４１とねじ止めされる後部座板５１と、座板４１から略垂直に延設した一対の柱部４２とから構成されている。座板４１は、その下面で設置面Ｇと面接触し、ディスプレイ９０からの荷重を受ける。柱部４２は座板４１から延設した一対の柱状体から成る。柱部４２は、延設した先端の頂点に形成された面でディスプレイ９０の下面と当接し、座板４１と一体となってディスプレイ９０の荷重を支持する。また、座板４１の後方（図における右側）には、取外し可能な後部座板５１を備えている。座板４１の後部には、雌ねじ部４４が形成された結合溝４３を備えている。この雌ねじ部４４を用いて座板４１と後部座板５１とを友締めする。なお、本実施の形態では、座板４１と柱部４２と化粧外装３０とで、脚部８０における脚部本体７０と前部支持台座６０とを構成し、後部座板５１と後部外装部５３とで後部支持台座５０を構成している。
【００２５】
後部支持台座５０は、前述した後部座板５１と後部外装部５３とから構成され、脚部本体７０と取外し可能にねじ止めされる。後部座板５１はその一端にはねじ部材のねじ部が貫通する貫通穴５２ａを備えた突出片５２を有している。この突出片５２と座板４１の結合溝４３に形成された雌ねじ部４４をねじ部材を用いて友締めする。ここで、突出片５２は、結合溝４３の溝と係合する形状である。結合溝に４４に突出片５２を挿入した後、ねじ部材のねじ部を上方から貫通穴５２ａに貫通させて雌ねじ部４４と螺合する。これにより、後部支持台座５０と脚部本体７０とは、取外し可能に固定される。
【００２６】
１．２．表示装置の作用・効果
本発明に係る、表示装置１００の作用・効果を図４を基に説明する。
図４（ａ）に示すように、脚部本体７０に後部支持台座５０がねじ止めされた状態では、表示装置１００の背面を壁Ｗに寄せることができる距離は、後部支持台座５０の脚部背面からの突出量に依存する。つまり、表示装置１００を壁Ｗに最も寄せることができる距離は、図では脚部８０背面から後部支持台座５０の先端までの距離Ｌである。ここで、図４（ｂ）に示すように、後部支持台座５０を脚部本体７０に固定するねじ部材を外し、後部支持台座５０を脚部本体７０から取り外す。このため、表示装置１００の背面側の突出量が少なくなり、表示装置１００の背面を壁Ｗまで近づけることができる。これにより、表示装置１００の背面と壁Ｗとの間に無駄な隙間を抹消することができ、スペースを有効活用することができる。
【００２７】
２．第二の実施形態
本発明に係るテレビジョン受信機は様々な実施形態が存在する。
第二の実施の形態に係る表示装置１００では、図５に示すように、後部支持台座５０は２本のスライド軸１０１，１０２を有し、脚部本体７０は、このスライド軸１０１，１０２を脚部本体の厚み方向にスライド可能に保持するスライド保持部を有する構成である。これにより、後部支持台座５０を脚部本体７０に固定する場合は、スライド軸をスライド保持部に差入れる。逆に、後部支持台座５０を脚部本体７０から取り外す場合は、スライド軸をスライド保持部からスライドさせて引き抜けばよい。
【００２８】
図５に示すように、脚部本体７０の背面下部には開口７０ａが形成されており、この開口７０ａの内部には、保持部材１１０を備えている。本実施の形態では、保持部材１１０は脚部８０を構成する構造部４０により形成されている。保持部材１１０は、開口７０ａとその向きを略同一としたスライド開口１１１，１１２を備えている。スライド軸１０１，１０２がこのスライド開口１１１，１１２に挿入してスライドすることで、後部支持台座５０が脚部本体７０に取外し可能に保持される。
【００２９】
図６は、保持部材１１０と後部支持台座５０とを示す斜視図である。なお、点線は後部外装部５１を示す。保持部材１１０は、脚部８０における構造部４０の座板４１としての働きも備えており、図示しないが上面側に柱部４２を接合する構造である。また、保持部材１１０は、スライド軸１０１，１０２が挿入してスライドするスライド開口１１１，１１２を脚部本体７０の厚み方向に延設するよう形成している。また、後部支持台座５０のスライド軸１０１，１０２は、後部座板５１の両端から延設している。
【００３０】
本実施形態における後部支持台座５０と保持部材１１０とは、互いに係合する係合部位を備えている。その一例として、後部支持台座５０を構成する後部座板５１には、スライド軸１０１，１０２の延設方向と略水平に突出した係止部１０３を有している。また、係止部１０３は、後部座板５１と略垂直に曲げ加工された爪部１０３ａを有している。さらに、保持部材１１０を構成する底面１１０ａには、幅方向略中央に上記した係止部１０３と係合する受け部１１３を備えている。受け部１１３には、係止部１０３の爪部１０３ａの先端が挿入するスリット１１３ａを備えている。これにより、スライド軸１０１，１０２を保持部材１１０のスライド開口１１１，１１２に挿入してスライドさせた後、爪部１０３ａの先端が受け部１１３のスリット１１３ａに挿入することで、脚部本体７０と後部支持台座５０とが固定される。
【００３１】
なお、本発明の変形例におけるスライド軸１０１，１０２は、後部座板５１の両端部周辺を曲げ加工して形成すればよい。保持部材１１０も同様に、底面１１０ａの両端部周辺を曲げ加工して形成すればよい。また、係合部位は、上記した係止部１０３と受け部１１３とに限定されず、後部支持台座５０を保持部材１１０と磁石を用いて固定するものであってもよい。また、爪部１０３ａの変わりに、上方に付勢力を備えた球体を配置し、受け部１１３のスリット１１３ａにこの球体が挿入して係止する構成でもよい。
【００３２】
３．第三の実施の形態
本発明に係る第三の実施の形態として、脚部本体７０が、後部支持台座５０を脚部本体７０の厚み方向に回転可能に保持する構成とし、表示装置１００をその背面を壁に寄せて配置する際、後部支持台座５０の脚部本体７０の背面から延設した先端の向きを脚部本体７０の背面に対して垂直方向から水平方向に変化させる構成としてもよい。これにより、後部支持台座５０の脚部本体７０からの延設した長さを少なくすることができ、表示装置１００と壁との間に形成される無駄な隙間を抹消することができる。
【００３３】
図７に示すように、後部支持台座５０と脚部本体７０とは、第二の実施の形態同様、スライド軸２００，２０１と、保持部材２０３とを備えている。また、スライド軸２００，２０１と後部支持台座５０との関係、及びと保持部材２０３と脚部本体７０との関係は第二の実施の形態と同様である。
【００３４】
後部支持台座５０のスライド軸２００，２０１は、側部から突出した突出片２０２を有している。ここで、突出片２０２は、軸部の軸心に対して略垂直に突出していればよく、例えばスライド軸２００，２０１に形成した雌ねじ部と螺合するねじ部材であってもよい。
【００３５】
本実施の形態での保持部材２０３の両側面には、その内部をスライドするスライド軸２００，２０１から突出した突出片２０２が貫通するスリット２０４を設けている。また、保持部材２０３のスライド開口２０５，２０６を形成する上面は、開口２０７，２０８が形成されている。
【００３６】
図８を基に本実施形態における後部支持台座５０の動きを説明する。図８（ａ）に示す状態から、図８（ｂ）に示すように後部支持台座５０の先端を脚部本体７０の背面に対して垂直方向上方に向けて回転させる場合、まず、スライド軸２００，２０１を図中左方向に引き出す。次に、突出片２０２がスリット２０４の図中左端に位置した状態で、突出片２０２を回転軸として、後部支持台座５０を回転させる。具体的には、後部支持台座５０の脚部本体７０から延設した先端を脚部本体７０の背面に対して水平方向上方を向くよう回転させる。このとき、スライド軸２００，２０１は保持部材２０３の開口２０７，２０８から上方に突出する。これにより、図８（ｂ）に示すように、後部支持台座５０における表示装置１００の背面から延設した量は、後部支持台座５０の厚み分だけとなり、表示装置１００の背面と壁との間に余分な隙間を形成しない。
【００３７】
さらに、後部支持台座５０が脚部本体７０に収容可能に保持される構成としてもよい。これにより、表示装置１００の背面を壁に寄せて設置する際、後部支持台座５０を脚部本体７０の背面側から収容することで、脚部本体７０の背面からの延設する量を少なくすることができる。
【００３８】
４．まとめ
本発明に係る表示装置１００は、厚みの薄いディスプレイ９０と、このディスプレイ９０の下方に配置されて、該ディスプレイ９０を支持する脚部８０とを有する構成である。また、脚部８０は、脚部本体７０と、脚部本体の下部からディスプレイの表示面に対して前方に延設した前部支持台座６０と、脚部本体の下部からディスプレイの背面に対して前方に延設した後部支持台座５０とから成り、後部支持台座５０は、脚部本体７０の背面側から延設した量を変化できるよう該脚部本体７０に保持されている。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４０】
【図１】本発明に係る表示装置の一例を示す斜視図である。
【図２】本発明に係る表示装置を後方から見た斜視図である。
【図３】本発明に係る脚部を側面からみた内部側面図である。
【図４】本発明に係る表示装置の側面図である。
【図５】本発明に係る表示装置を背面側から見た斜視図である。
【図６】本発明に係る表示装置の保持部材と後部支持台座とを示す斜視図である。
【図７】本発明に係る表示装置を背面側から見た斜視図である。
【図８】本発明に係る表示装置の側面図である。
【図９】従来の表示装置の側面図である。
【符号の説明】
【００４１】
３０…化粧外装、４０…構造部、４１…座板、４２…柱部、４３…結合溝、４４…雌ねじ部、５０…後部支持台座、５１…後部座板、５２…突出片、５２ａ…貫通穴、５３…後部外装部、６０…前部支持台座、７０…脚部本体、７０ａ…開口、８０…脚部、９０…ディスプレイ、９０ａ…キャビネット、１００…表示装置、１０１、１０２…スライド軸、１０３…係止部、１０３ａ…爪部、１１０…保持部材、１１０ａ…底面、１１１、１１２…スライド開口、１１３…受け部、１１３ａ…スリット、２００、２０１…スライド軸、２０２…突出片、２０３…保持部材、２０４…スリット、２０５、２０６…スライド開口、２０７、２０８…開口、Ｇ…設置面、Ｗ…壁
【図１】
2009015233.tif 000003
【図２】
2009015233.tif 000004
【図３】
2009015233.tif 000005
【図４】
2009015233.tif 000006
【図５】
2009015233.tif 000007
【図６】
2009015233.tif 000008
【図７】
2009015233.tif 000009
【図８】
2009015233.tif 000010
【図９】
2009015233.tif 000011